(57)【要約】【課題】一般人はもちろんのこと、特に握力が弱くなったり、関節の自由度が低下したりしている高齢者や障害者などに、使い勝手のよいトリガー式の噴射装置および噴出器を提供する。【解決手段】容器１０の口部１０ａに取り付け、トリガーレバー２３を操作してステム１７を押し込み、そのステムを通して容器１０の内容物を噴射口２８から噴射する噴射装置Ｐにおいて、噴射口２８を有する噴射部材２４を、トリガーレバー２３により妨げられることなくステム１７に対してそれを中心として回動自在に取り付けるものである。例えば、噴射部材２４をトリガーレバー２３の外部上に設けて、そのトリガーレバーにより妨げられることなくステム１７に対して噴射部材２４を回動自在に取り付ける。および、そのような噴射装置Ｐを容器１０の口部１０ａに取り付けた噴出器である。【選択図】      図２
2006341173.tif 000002
【特許請求の範囲】
【請求項１】
容器の口部に取り付け、トリガーレバーを操作してステムを押し込み、そのステムを通して容器の内容物を噴射口から噴射する噴射装置において、
前記噴射口を有する噴射部材を、前記トリガーレバーにより妨げられることなく前記ステムに対して回動自在に取り付けることを特徴とする、噴射装置。
【請求項２】
前記噴射部材を前記トリガーレバーの上に設けて、そのトリガーレバーにより妨げられることなく前記ステムに対して前記噴射部材を回動自在に取り付けることを特徴とする、請求項１に記載の噴射装置。
【請求項３】
前記噴射部材に、指を当てて前記ステムの押し下げを可能とする指当て部を設けることを特徴とする、請求項２に記載の噴射装置。
【請求項４】
前記トリガーレバーにカバー部材を回動自在に取り付け、そのカバー部材で前記噴射部材を被うとともに、そのカバー部材を回動するとき前記噴射部材もともに回動することを特徴とする、請求項１に記載の噴射装置。
【請求項５】
請求項１ないし４のいずれか１に記載の噴射装置を、容器の口部に取り付けることを特徴とする、ポンプ式噴出器。
【請求項６】
請求項１ないし４のいずれか１に記載の噴射装置を、容器の口部に取り付けることを特徴とする、エアゾール式噴出器。
【発明の詳細な説明】
【技術分野】
【０００１】
この発明は、容器の口部に取り付け、トリガーレバーを操作してステムを押し込み、容器の内容物を、ステムを通して噴射部材の噴射口から外部に向けて噴射する噴射装置に関する。および、そのような噴射装置を容器の口部に取り付けた、化粧用、整髪用等の噴出器に関する。
【背景技術】
【０００２】
従来、トリガー式噴出器では、例えば図１１に示すように、容器１を持ってトリガーレバー２に人指し指等を掛け、トリガーレバー２を支軸３を支点として矢示方向に回動することによりステム４を押し込み、ポンプ式では容器１の内容物を汲み上げ、エアゾール式では噴射剤の圧力で容器１の内容物を押し出し、ステム４を通してそのステム４に取り付ける噴射部材５の噴射口６から外部へと噴射していた。
【０００３】
【特許文献１】特開２００３−２３０８５４号公報
【発明の開示】
【発明が解決しようとする課題】
【０００４】
ところが、このような従来のトリガー式噴出器では、トリガーレバー２は、支軸３で支柱部７に取り付けてなり、操作方向である垂直面方向には回動できるが、ステム４まわりの水平面方向には回動できなかった。よって、トリガーレバー２内に位置する噴射部材５も、トリガーレバー２により回動を妨げられてステム４まわりには回動することができず、トリガーレバー２の操作方向に対して内容物の噴射方向が固定されていた。
【０００５】
この種の噴出器がヘアスプレーである場合には、図１２に示すような前頭部ａや首まわりｂ、また図１３に示すような後頭部ｃなどに噴射液を塗布することとなる。例えば、首まわりｂに実際に塗布する場合には、図１４に示すように使用したり、図１５に示すように使用したりすることとなり、使い勝手がよいときと悪いときとがあった。
【０００６】
従来、手首を返して使用しなければならず、使い勝手が悪いときには、図１６に示すようにトリガーレバー２に親指を掛けて使用したりもしていたが、この場合にも、持ち手がゆるくなったりして使いにくい場合があることは否めなかった。
【０００７】
そこで、この発明の目的は、一般人はもちろん、特に握力が弱くなったり、関節の自由度が低下したりしている高齢者や障害者などに、使い勝手のよいトリガー式の噴射装置および噴出器を提供することにある。
【課題を解決するための手段】
【０００８】
そのため、請求項１ないし４に記載の発明は、容器の口部に取り付け、トリガーレバーを操作してステムを押し込み、そのステムを通して容器の内容物を噴射口から噴射する噴射装置において、噴射口を有する噴射部材を、トリガーレバーにより妨げられることなくステムに対して回動自在に取り付けるものである。例えば、噴射部材をトリガーレバーの外部上に設けて、そのトリガーレバーにより妨げられることなくステムに対してそれを中心として回動自在に噴射部材を取り付ける。
【０００９】
そして、容器の口部に取り付け、使用時には、内容物を塗布する噴射目的部位に合わせて、噴射部材をステムまわりに適宜回動し、トリガーレバーの操作方向に対する噴射部材の噴射口からの内容物の噴射向きを変更する。
【００１０】
噴射部材には、指を当ててステムの押し下げを可能とする指当て部を設けるとよく、またトリガーレバーにカバー部材を回動自在に取り付け、そのカバー部材で噴射部材を被うとともに、そのカバー部材を回動するとき噴射部材もともに回動するとよい。
【００１１】
請求項５に記載の発明は、請求項１ないし４のいずれか１に記載の噴射装置を、容器の口部に取り付けることを特徴とする、ポンプ式噴出器である。また、請求項６に記載の発明は、請求項１ないし４のいずれか１に記載の噴射装置を、容器の口部に取り付けることを特徴とする、エアゾール式噴出器である。
【発明の効果】
【００１２】
したがって、請求項１ないし４に記載の発明によれば、容器の口部に取り付け、使用時には、噴射目的部位に合わせて、噴射部材をステムまわりに適宜回動し、トリガーレバーの操作方向に対する内容物の噴射向きを変更するので、従来のようにトリガーレバーの操作方向に対して内容物の噴射方向が固定されず、例えば自分の後頭部に噴射する場合などに使い勝手のよいトリガー式の噴射装置を提供することができる。特に、握力が弱くなったり、関節の自由度が低下したりしている高齢者や障害者などに有用である。
【００１３】
請求項３に記載の発明によれば、噴射部材に、指を当ててステムの押し下げを可能とする指当て部を設けるので、トリガー式のみならず、プッシュ式としても使用することができ、噴射目的部位や使用者の身体的障害の状況などに応じて適宜選択的にトリガーレバーを回動したり噴射部材を押し下げたりして使用することで、使い勝手を一層向上することができる。
【００１４】
請求項４に記載の発明によれば、カバー部材で噴射部材を被うので、ステムへの取り付け部分を見えないように隠して外観を向上することができる。
【００１５】
請求項５および６に記載の発明によれば、使用時には、噴射目的部位に合わせて、噴射部材をステムに対して適宜回動し、トリガーレバーの操作方向に対する内容物の噴射向きを変更するので、トリガーレバーの操作方向に対して内容物の噴射方向が固定されず、例えば自分の後頭部に噴射する場合などに使い勝手のよいポンプ式およびエアゾール式の噴出器を提供することができる。特に、握力が弱くなったり、関節の自由度が低下したりしている高齢者や障害者などに有用である。
【発明を実施するための最良の形態】
【００１６】
以下、図面を参照しつつ、この発明の実施の最良形態につき説明する。
図１には往復ポンプ式の噴出器の外観を、図２にはその中央縦断面を示す。
【００１７】
図中符号１０は、容器である。容器１０は、プラスチック材料でボトル形状につくり、その口部１０ａ外周に雄ネジを設け、図示省略するが、この例では、内部に、内容物として整髪用の噴射液を収納する。
【００１８】
その容器１０の口部１０ａには、ポンプ式噴射装置Ｐを取り付ける。
ポンプ式噴射装置Ｐには、ネジキャップ１１を設ける。ネジキャップ１１は、内周に雌ネジを有するとともに、頂部中央に中心孔をあけてなる。そして、頂部をシリンダ１２のフランジ１２ａ上に乗せ、容器１０の口部１０ａに被せてネジ付けてなる。
【００１９】
そのシリンダ１２には、フランジ１２ａを設けるとともに、径方向に貫通する空気吸込み孔１２ｂをあけ、ネジキャップ１１の中心孔を通して上端部を上向きに突出する。他方、シリンダ１２の下部は、内部に、吸込口１２ｃと管取付口１２ｄを続けて設ける。そして、その管取付口１２ｄ内にパイプ１３の上端部を圧入し、そのパイプ１３内と吸込口１２ｃとを連通してなる。反対に、吸込口１２ｃのすぐ上には、下方に向けて漸次小径となる弁座を続けて設ける。
【００２０】
このようなシリンダ１２内には、ボール状の逆止弁１４を入れて弁座上に乗せてから、コイルスプリング１５を挿入して段部上に乗せる。その後、開閉弁１６を取り付けた、ピストンを兼ねるステム１７を入れ、コイルスプリング１５上に乗せる。ステム１７は、管状で、内部に噴出路１７ａを設け、その噴出路１７ａと連通して径方向に横孔１７ｂを設け、その横孔１７ｂ位置の外周に円周溝を形成する。
【００２１】
一方、開閉弁１６は、円筒形状で、中間部に内面から内向きに突出して環状凸部１６ａを設ける。そして、その環状凸部１６ａを前記円周溝内にはめ付け、開閉弁１６の外周上下部をシリンダ１２の内周面に摺動自在に押し当ててなる。
【００２２】
ところで、シリンダ１２の上端には、カラーリング１８を設ける。そのカラーリング１８は、外筒部と内筒部とを同心で形成し、外筒部からは支柱部１８ａを斜め上向きにのばす。そして、シリンダ１２内に内筒部を入れて下端を前記開閉弁１６の上端に突き当て、ステム１７を介してコイルスプリング１５を少し圧縮するとともに、外筒部をシリンダ１２の上端部に被せて掛け止めしてなる。
【００２３】
これにより、コイルスプリング１５の付勢力でステム１７を押し上げ、その円周溝の下段部を前記開閉弁１６の環状凸部１６ａの下面に押し当てて、噴出路１７ａとシリンダ室２０間の連通を遮断する。ステム１７は、カラーリング１８の内筒部内を通して上向きに突出する。ステム１７の上端部には、外周の対応する位置に一対の円形係合突部１７ｃを形成する。
【００２４】
他方、カラーリング１８の支柱部１８ａの先端には、水平な支軸２２でトリガーレバー２３の基端を取り付ける。トリガーレバー２３は、直角に折れ曲がり、その曲げ部に切欠き２３ａを設けてその切欠き２３ａにステム１７の先端を通し、一対の円形係合突部１７ｃ上に載せてなる。そして、支軸２２を中心として垂直面方向に回動自在にトリガーレバー２３を取り付け、回動したときステム１７をシリンダ１２内に押し込み可能とする。
【００２５】
さて、トリガーレバー２３の切欠き２３ａを通って上向きに突出するステム１７先端には、ステム１７まわりに水平面方向に回動自在に噴射部材２４を取り付ける。このとき、ステム１７と噴射部材２４の係合部には、Ｏリング２５を設けて、それらの間からの液漏れを防止している。
【００２６】
噴射部材２４は、扇形状をなし、その要部分にノズルホルダ２６の円筒基端をはめ付ける。ノズルホルダ２６は、先端側にノズル部材２７を取り付け、そのノズル部材２７に設ける噴射口２８を噴射部材２４内の吐出通路３０に連通する。
【００２７】
いま、この噴出器を使用するときは、容器１０を手で持って噴射口２８を、噴射液を塗布する噴射目的部位に向け、トリガーレバー２３をコイルスプリング１５に抗して回動し、ステム１７をシリンダ１２内に押し込む。すると、シリンダ１２内面との摩擦抵抗により開閉弁１６はそのままの位置でステム１７が動き、開閉弁１６の環状凸部１６ａの上面に円周溝の上段部を接触する。
【００２８】
そして、ステム１７の押し込みとともに、開閉弁１６を変形して横孔１７ｂを開き、シリンダ室２０と噴出路１７ａとを連通する一方、シリンダ室２０の圧を高め、シリンダ室２０の内容物を横孔１７ｂを通して噴出路１７ａに送り出し、噴射部材２４に入れて吐出通路３０を通して噴射口２８から外部へと噴射する。
【００２９】
使い勝手が悪いときは、噴射目的部位に合わせて、トリガーレバー２３の上に設ける噴射部材２４をステム１７まわりに適宜回動し、トリガーレバー２３の操作方向に対する噴射部材２４の噴射口２８からの内容物の噴射向きを可変とする。例えば図３に示すように、噴射部材２４をステム１７まわりに水平面方向に１８０度回動する。これにより、トリガーレバー２３の操作方向に対する噴射口２８からの内容物の噴射向きを逆向きとし、目的部位によっては使用時の使い勝手を向上する。
【００３０】
ところで、噴射部材２４には、例えば図４に示すように、指を当ててステム１７の押し下げを可能とする指当て部３２を設けるとよい。このようにすると、トリガーレバー２３を回動しても、噴射部材２４を押し下げても、噴射口２８から内容物を噴射することができ、トリガー式としてもプッシュ式としても使用することができるから、噴射目的部位や使用者の身体的障害の状況などに応じて適宜選択的にトリガーレバー２３を回動したり噴射部材２４を押し下げたりして使用することで、使い勝手を一層向上することができる。
【００３１】
図５ないし図８には、さらに他例の噴出器を示す。
この例の噴出器では、トリガーレバー２３にカバー部材３３を回動自在に取り付け、そのカバー部材３３で噴射部材２４を被うとともに、そのカバー部材３３を回動するとき噴射部材２４もともに回動するようにする。
【００３２】
すなわち、図５に示す状態では、トリガーレバー２３を矢印Ａ方向に操作すると、噴射口２８から内容物を矢印Ｂ方向に噴射する。しかし、その状態から、カバー部材３３をステム１７を中心として水平面方向に矢印Ｃ方向に回動すると、そのカバー部材３３で押してそのカバー部材３３内の噴射部材２４もステム１７を中心として水平面方向に矢印Ｃ方向に回動し、図６に示す状態となる。この図６に示す状態では、トリガーレバー２３を矢印Ｄ方向に操作すると、噴射口２８から内容物を矢印Ｅ方向に噴射することとなる。
【００３３】
図６に示す状態から、カバー部材３３をさらに矢印Ｃ方向に回動すると、再びカバー部材３３で押してそのカバー部材３３内の噴射部材２４もステム１７を中心として矢印Ｃ方向に回動し、図７に示す状態となる。この図７に示す状態では、トリガーレバー２３を矢印Ｄ方向に操作すると、内容物の噴射向きを逆向きとして噴射口２８から内容物を矢印Ｆ方向に噴射することとなる。そして、例えば図８に示すごとく、前頭部に向けて噴射するときなどに使用する。
【００３４】
図９および図１０には、カバー部材を使用するまたさらに他例の噴出器を示す。
この例では、ステム１７の先端にパイプ３４の下部を圧入し、そのパイプ３４の上部にそのパイプ３４を中心として回動自在に噴射部材２４を取り付けるとともに、適宜トリガーレバー２３にカバー部材３３を回動自在に取り付け、そのカバー部材３３で噴射部材２４を被うものである。そして、カバー部材３３をステム１７まわりに回動するとき、噴射部材２４もともに回動する。トリガーレバー２３を操作したときには、図１０に示すように、そのトリガーレバー２３に取り付けるカバー部材３３もともに回動し、ステム１７とともに噴射部材２４も押し下げる。
【００３５】
さて、上述した例では、ポンプ式の噴射装置Ｐを容器１０の口部１０ａに取り付け、トリガーレバー２３を操作したとき、容器１０の内容物をいったんシリンダ室２０に汲み上げてから、そのシリンダ室２０の内容物を噴射口２８から外部へと噴射するポンプ式噴出器に適用し、噴射部材２４をステム１７まわりに回動することにより、トリガーレバー２３の操作方向に対して噴射部材２４の噴射口２８からの噴射向きを可変とした。
【００３６】
しかし、エアゾール式の噴射装置を容器の口部に取り付け、容器に噴射剤とともに内容物を収納し、トリガーレバーを操作したとき、出口弁を開いて容器の内容物を噴射剤の圧力で噴射口から外部へと噴射するエアゾール式噴出器に適用し、同様に噴射部材２４をステム１７まわりに回動することにより、トリガーレバーの操作方向に対して噴射部材の噴射口からの噴射向きを可変とすることもできる。
【図面の簡単な説明】
【００３７】
【図１】この発明に係るポンプ式噴出器の外観斜視図である。
【図２】その中央縦断面図である。
【図３】噴射部材を回動して噴射方向を変えた状態の外観図である。
【図４】この発明に係るポンプ式噴出器の他例の外観斜視図である。
【図５】この発明に係る噴出器のさらに他例の外観斜視図である。
【図６】その噴射部材を回動して噴射方向を変えた状態の外観図である。
【図７】噴射部材をさらに回動して噴射方向を変えた状態の外観図である。
【図８】その状態での噴出器の使用状態図である。
【図９】この発明に係る噴出器のまたさらに他例の中央縦断面図である。
【図１０】そのトリガーレバーを回動した状態の外観図である。
【図１１】従来の噴出器の使用状態図である。
【図１２】噴出器の噴射目的部位を示す図である。
【図１３】噴出器の他の噴射目的部位を示す図である。
【図１４】噴射目的部位に向けての実際の使用状態図である。
【図１５】別の使用状態図である。
【図１６】従来の噴出器のトリガーレバーに親指を掛けて使用する場合を示す図である。
【符号の説明】
【００３８】
１０    容器
１０ａ  口部
１７    ステム
２３    トリガーレバー
２４    噴射部材
２８    噴射口
３２    指当て部
３３    カバー部材
Ｐ      噴射装置
【図１】
2006341173.tif 000003
【図２】
2006341173.tif 000004
【図３】
2006341173.tif 000005
【図４】
2006341173.tif 000006
【図５】
2006341173.tif 000007
【図６】
2006341173.tif 000008
【図７】
2006341173.tif 000009
【図８】
2006341173.tif 000010
【図９】
2006341173.tif 000011
【図１０】
2006341173.tif 000012
【図１１】
2006341173.tif 000013
【図１２】
2006341173.tif 000014
【図１３】
2006341173.tif 000015
【図１４】
2006341173.tif 000016
【図１５】
2006341173.tif 000017
【図１６】
2006341173.tif 000018